(57)【要約】【課題】従来の輪ゴム銃は、連発式および単発式において様々な形態の輪ゴム銃が存在するが、どれも銃本体に輪ゴムを架けて使用するものであり、そのため輪ゴムを発射し終えると、新たに一本一本輪ゴムを銃本体に架け直さなければならない。とくに連発式の場合では、輪ゴムの数が多くなるほど、その作業に手間取る。【解決手段】以上の課題を解決するために、本発明は銃本体と弾倉を着脱自在に分離し、該弾倉にあらかじめ輪ゴムを架け、この弾倉を前記銃本体に装着することで、前記銃本体にすばやく輪ゴムを供給させることにした。【選択図】図１
2006207986.tif 000002
【特許請求の範囲】
【請求項１】
輪ゴム銃において、銃本体と前記銃本体に着脱自在な弾倉とからなり、前記弾倉に輪ゴムを架けることを特徴とする弾倉装着式輪ゴム銃。
【請求項２】
請求項１記載の弾倉装着式輪ゴム銃において、前記弾倉は、鋸刃状の端辺を相対する両端に設けた外体と、鋸刃状の端辺を相対する両端に設けた内体とからなり、前記外体の端辺の鋸刃状の山と前記内体の端辺の鋸刃状の山は重ならない位置にあり、なおかつ前記外体と前記内体はどちらか一方もしくは両方を移動可能とした弾倉装着式輪ゴム銃。
【請求項３】
請求項１記載の弾倉装着式輪ゴム銃において、輪ゴムを保持してなおかつ引鉄と連動して前記輪ゴムを解除する銃把側に設けられた装弾保持子と呼ばれる装置と、輪ゴムを保持する銃口側に設けられた装弾保持溝と呼ばれる装置または部分の、どちらか一方または両方が前記銃本体に形成された長孔または軸に沿って移動可能とした弾倉装着式輪ゴム銃。
【請求項４】
請求項１記載の弾倉装着式輪ゴム銃において、板状の厚さ部分の側面に輪ゴムを保持する溝が設けられ、なおかつ前記装弾保持子や前記装弾保持溝に前記輪ゴムを受け渡すための切り欠きを有する輪ゴム保持体を、前記銃本体に装填することを特徴とした弾倉装着式輪ゴム銃。
【請求項５】
請求項１記載の弾倉装着式輪ゴム銃において、前記弾倉に、前記装弾保持子と前記装弾保持溝を設けたことを特徴とした弾倉装着式輪ゴム銃。
【請求項６】
請求項５記載の弾倉装着式輪ゴム銃において、切り欠きを有する盤状の部材によって前記装弾保持子を輪ゴムを保持できる状態に維持し、前記切り欠きと前記装弾保持子の位置が合わさったときに、前記装弾保持子が動作可能となることを特徴とした弾倉装着式輪ゴム銃。
【発明の詳細な説明】
【技術分野】
【０００１】  本発明は、輪ゴム銃に関するものである。
【背景技術】
【０００２】  従来の輪ゴム銃は、連発式および単発式において様々な形態の輪ゴム銃が存在するが、どれも銃本体に輪ゴムを架けて使用するものである。
【発明の開示】
【発明が解決しようとする課題】
【０００３】  しかしながら、銃本体に輪ゴムを架けて使用する場合、輪ゴムを発射し終えたとき、一本一本輪ゴムを銃本体に架け直さなければならず、特に連発式の場合では、輪ゴムの数が多くなるほど、その作業に手間取ることになる。
【課題を解決するための手段】
【０００４】  以上の課題を解決するために、本発明は銃本体と弾倉を着脱自在に分離し、この弾倉にあらかじめ輪ゴムを架けておき、弾倉を銃本体に装着することで、銃本体にすばやく輪ゴムを供給させることにした。
【発明の効果】
【０００５】  輪ゴム銃の銃本体と弾倉を分離して着脱自在にしたことにより、弾倉を複数用意して、それらに輪ゴムをあらかじめ架けておけば、輪ゴムを発射し終えた時点で、弾倉だけをとりかえれば、すぐに新たな輪ゴムが供給されるので、間断なく輪ゴムを発射できる。【０００６】  さらには、銃本体に弾倉を装着するという、従来の輪ゴム銃にはなかった動作が加わることで、新たな楽しみや、本物の銃のような雰囲気が味わえる。【０００７】  また、弾倉の形態や、弾倉から輪ゴムを供給する動作にも、色々なバリエーションが増えて、今までにない形態の輪ゴム銃が登場することになる。【０００８】  くわえて、弾倉を複数所有する方が、輪ゴムを間断なく発射できるために、銃本体とは別に、弾倉のみの購入も考えられる。
【発明を実施するための最良の形態】
【０００９】  以下、本発明の実施の形態を図に基づいて説明する。
【実施例１】
【００１０】  実施例１は、請求項１および請求項２に適応する実施例である。図１に示すように、実施例１の発明の弾倉装着式輪ゴム銃１は、着脱自在に分離された銃本体２と弾倉４とからなっている。この弾倉４には、あらかじめ輪ゴムＷ６、Ｗ８、Ｗ１０が架けてある。また実施例１の場合は、弾倉４を銃本体２に上から被せるように装着するが、下から装着することも考えられる。【００１１】  図２に示すように、弾倉４は、外体１２と内体１４とからなる。外体１２、内体１４には、ぞれぞれ銃身の長さ方向の端部に鋸刃状の輪ゴム移送切欠１６ａ、１６ｂ、１８ａ、１８ｂが設けられている。【００１２】  内体１４には突起２０があり、外体１２の長孔２２に銃身の長さ方向へ移動可能に嵌合する。【００１３】  また図３に示すように、外体１２と内体１４を組み合わせたとき、輪ゴム移送切欠１６ａ（ｂ）と輪ゴム移送切欠１８ａ（ｂ）の鋸刃状の山は、ずれるように成形されている。【００１４】  一方、銃本体２には、内体１４を乗せる凹部２４と、外体１２が乗る凹部２６が設けられている。この凹部２４に弾倉４を乗せて、本発明の弾倉装着式輪ゴム銃１となる。【００１５】  次に、弾倉装着式輪ゴム銃１の輪ゴムの供給方法を説明する。図３に示すように、輪ゴムＷ６、Ｗ８、Ｗ１０は、弾倉４の外体１２の輪ゴム移送切欠１６ａ（ｂ）と、内体１４の輪ゴム移送切欠１８ａ（ｂ）の鋸刃状の山と山の間に架けられる。【００１６】  図４には、弾倉４を銃口側へスライドさせた状態が示してある。このとき、内体１４が最初に凹部２４の銃口側の端部２８に当たって止まり、次に外体１２の長孔２２が内体１４の突起２０に当たって外体１２が止まる。【００１７】  この状態のとき銃口側の輪ゴム移送切欠１６ａに架かる輪ゴムＷ６、Ｗ８、Ｗ１０は、内体１４の輪ゴム移送切欠１８ａから解放されて、輪ゴム自身の張力により輪ゴム移送切欠１６ａの傾斜部に沿って移動する。【００１８】  図４において最上位の輪ゴムＷ６は、輪ゴム移送切欠１６ａの傾斜部を滑るように移動し、銃口に形成された傾斜部３２に移動したのち、銃口に設けられた装弾保持溝３４に架かる。【００１９】  次に、弾倉４を銃把側にスライドさせる。図５参照。このときも最初に内体１４が凹部２４の銃把側の端部３６にあたって止まり、次に外体１２の長孔２２が内体１４の突起２０に当たって外体１２が止まる。【００２０】  この状態のとき銃把側の輪ゴム移送切欠１６ｂに架かる輪ゴムＷ６、Ｗ８、Ｗ１０は、内体１４の輪ゴム移送切欠１８ｂから解放されて、輪ゴム自身の張力により輪ゴム移送切欠１６ｂの傾斜部に沿って移動する。【００２１】  図５において最上位の輪ゴムＷ６は、輪ゴム移送切欠１６ｂの傾斜部を滑るように移動し、銃尾に形成された傾斜部３８に移動したのち、銃尾に設けられた装弾保持子４０に架かる。【００２２】  このとき、銃口側の輪ゴム移送切欠１８ａに架かる輪ゴムＷ８、Ｗ１０は、外体１２の輪ゴム移送切欠１６ａから解放されて、輪ゴム自身の張力により輪ゴム移送切欠１８ａの傾斜部にそって移動する。【００２３】  また前記装弾保持子４０は、突起４２と突起４２を押圧するバネ４４とで構成され、引鉄４６を引くと、引鉄４６に取り付けられたワイヤ４８��よって突起４２が銃本体２に収納されて輪ゴムＷ６を解除して輪ゴムＷ６を発射する。２点鎖線がその状態である。【００２４】  輪ゴムＷ６を発射し終えたのち、再び弾倉４を銃口側にスライドすれば、前述したように輪ゴムＷ８、Ｗ１０が輪ゴム移送切欠１６ａの鋸刃状の山を一段ずつ移動することになる。【００２５】  以上のような手順を繰りかえすと、輪ゴムが次々と弾倉から銃本体へと供給されて、連続発射が可能となり、また輪ゴムを発射し終えたら、新たな弾倉と交換するだけで、すぐにまた輪ゴムを発射できる。
【実施例２】
【００２６】  次に別の実施例を説明する。この実施例２は、請求項１〜請求項３まで適応する実施例である。図６は、実施例２における弾倉装着式輪ゴム銃１００であり、銃本体１０２と銃本体１０２に装着する前の弾倉１０４の断面図である。弾倉１０４は、輪ゴム移送機構１０６をケース１０８の嵌合体１１０に嵌合させて格納したのち、銃本体１０２に設けられた嵌合口１１２に装着する。【００２７】  図６に示すように、弾倉装着式輪ゴム銃１００の装弾保持子１１４は、支軸１１５で銃本体１０２に設けられた長孔１１６を移動可能に係止されている。弾倉１０４を銃本体１０２に装着したのち、装弾保持子１１４を長孔１１６に沿って弾倉１０４の真上まで移動させ、さらに下方へ延びる長孔１１６ａに沿って下降させて、２点鎖線のような状態にする。【００２８】  図７は、輪ゴム移送機構１０６と嵌合体１１０と装弾保持子１１４の関係をわかりやすくするための分解斜視図である。輪ゴム移送機構１０６は、内体１２０と外体１２２とからなっている。内体１２０は、支持部材１２４によって２枚の輪ゴム移送板１２６が支持され、なおかつこの支持部材１２４によってケース１０８の底に設けられた嵌合体１１０と嵌合して保持される。【００２９】  前記輪ゴム移送板１２６は、銃身の長さ方向の両端部にそれぞれ鋸刃状の輪ゴム移送切欠１２８が設けられている。さらに、輪ゴム移送板１２６には外体１２２を内体１２０に対して銃身の長さ方向に移動可能に係止させるための窓１３０が設けられている。【００３０】  一方、外体１２２は、２枚の輪ゴム移送板１３２が桁１３４と、適当な間隔があけられた支柱１３６ａ、支柱１３６ｂで支持されている。そのうえで、支柱１３６ａ、支柱１３６ｂは輪ゴム移送板１２６の窓１３０を貫通して組み合わされる。また、前記移送板１３２は、銃身の長さ方向の両端部にそれぞれ鋸刃状の輪ゴム移送切欠１３３が設けられている。【００３１】  図８は、輪ゴム移送機構１０６の内体１２０と外体１２２を組み合わせ、かつケース１０８の嵌合体１１０に嵌合させた弾倉１０４と、装弾保持子１１４の関係を示した斜視図である。【００３２】  装弾保持子１１４は前後に引掛部１３８ａ、引掛部１３８ｂを有する２枚の駒板１４０を適当な間隔をあけて配置し、その２枚の駒板１４０を桁１４２で固定している。さらに装弾保持子１１４を移動させるための支軸１１５が駒板１４０を貫通しており、さらにこの支軸１１５が銃本体１０２に形成された長孔１１６、１１６ａ、１１６ｂ、１１６ｃの中を移動する。【００３３】  この装弾保持子１１４の桁１４２が、外体１２２の支柱１３６ａと支柱１３６ｂの間に入り、装弾保持子１１４を前後に移動させることで、外体１２２も前後に動かすことになる。【００３４】  図９は、装弾保持子１１４を銃口側に移動した状態を示す拡大断面図である。装弾保持子１１４を銃本体１０２に設けられた長孔１１６ａに沿って下降させたのち、装弾保持子１１４を長孔１１６ｂに沿って銃口側へ移動させる。【００３５】  このとき、装弾保持子１１４の桁１４２が外体１２２に設けられた支柱１３６ａに当たり、そのまま外体１２２だけを銃口側へ移動させ、それによって前述した実施例１のごとく、輪ゴム移���機構１０６に架けられた輪ゴムＷの銃口側だけが、輪ゴム移送切欠１２８と輪ゴム移送切欠１３３の作用によって上へと一段ずつ移動し、装弾保持子１１４の引掛部１３８ａに輪ゴムＷが架かることになる。この輪ゴムＷが輪ゴム移送切欠１２８、輪ゴム移送切欠１３３を移動する作用は、前述した実施例１と同様である。【００３６】  次に、図１０に示すように、装弾保持子１１４を長孔１１６ｂに沿って銃把側に移動させる。すると、装弾保持子１１４の桁１４２が外体１２２の支柱１３６ｂに当たり、外体１２２を銃把側に動かして、輪ゴム移送機構１０６に架けられた銃把側の輪ゴムＷだけが一段上に移動し、装弾保持子１１４の引掛部１３８ｂに輪ゴムＷが架かることになる。【００３７】  これらの動作によって、輪ゴム移送機構１０６に架けられた輪ゴムＷが装弾保持子１１４に受け渡される。【００３８】  そののち、装弾保持子１１４を長孔１１６ａに沿って上昇させ、さらに長孔１１６に沿って銃口側に移動させる。図１１参照。このとき、銃口に設けられた装弾保持溝１５０は装弾保持子１１４の２枚の駒板１４０の間に収まる。【００３９】  図１２を参照すれば、装弾保持子１１４と装弾保持溝１５０の関係がわかりやすい。【００４０】  図１１に戻って説明を続ける。装弾保持溝１５０は装弾保持子１１４の引掛部１３８ａよりも高さが低く、さらには装弾保持溝１５０の銃把側は引っ掛かりのない傾斜部１５２となっているため、装弾保持子１１４に架けられた輪ゴムＷは引掛部１３８ａに架かったまま装弾保持溝１５０を乗り越えていく。【００４１】  この状態で、装弾保持子１１４を長孔１１６に沿って銃把側に移動させれば、引掛部１３８ａに架かっていた輪ゴムＷは装弾保持溝１５０の引掛部１５４に架かり、そのまま保持される。その状態を示したのが、図１３である。【００４２】  このとき、装弾保持子１１４は銃本体１０２の天板１５６と密接しているため、輪ゴムＷの張力によって装弾保持子１１４が回転することなく、姿勢を維持したまま図示した位置まで移動できる。なお、この時点で装弾保持子１１４の銃把側の引掛部１３８ｂは、引鉄１６０の受部１６２に乗りあげた状態となる。【００４３】  図１４は、装弾保持子１１４を長孔１１６に沿って銃把側に移動させたのち、長孔１１６ｃに装弾保持子１１４の支軸１１５を架けた状態を示している。この位置では、天板１５６が無くなって装弾保持子１１４は回転可能な状態であるが、引鉄１６０の受部１６２によって、装弾保持子１１４の回転は制御されている。図１４では、２点鎖線の状態である。【００４４】  次に、引鉄１６０を引くと、受部１６２が銃把側に移動し、装弾保持子１１４の引掛部１３８ｂが受部１６２の制御から解放される。それにともなって、輪ゴムＷの張力により装弾保持子１１４は回転する。このとき、輪ゴムＷは引掛部１３８ｂからはずれて発射されることになる。なお、引鉄１６０は、引張バネ１６６によって常に銃口側に引っ張られている。【００４５】  以上の手順を繰りかえすことにより、弾倉１０４に装填されている輪ゴムを、次々と発射することができる。
【実施例３】
【００４６】  次に実施例３の弾倉装着式輪ゴム銃２００を説明する。この実施例３は請求項１ならびに請求項３と請求項４に適応する実施例である。弾倉装着式輪ゴム銃２００は、図１５に示すように銃本体２０２と該銃本体２０２に着脱自在な弾倉２０４とからなっている。【００４７】  前記弾倉２０４はケース２０６に輪ゴム保持体２０８を積層するように格納してなる。【００４８】  また前記輪ゴム保持体２０８は、図１７に示すように、前部に切り欠き２１０、後部に切り欠き２１２を有する板状で、その板厚にあたる側面には輪ゴムＷを保持するための溝２１４が設けられている。また、切り欠き２１０の端辺には傾斜部２１６、切り欠き２１２の端辺には傾斜部２１８がそれぞれ形成されている。【００４９】  図１６は、弾倉２０４を銃本体２０２に装着した部分拡大断面図である。前記輪ゴム保持体２０８が格納されるケース２０６には、ガイド２２０と押圧板２２２が有り、ガイド２２０は輪ゴム保持体２０８の切り欠き２１０に嵌り、押圧板２２２は切り欠き２１２に嵌って、輪ゴム保持体２０８を位置決めしている。【００５０】  さらに、押圧板２２２は常にケース２０６の銃口側の側壁に輪ゴム保持体２０８を押しつける作用をしているため、輪ゴム保持体２０８は銃口側の側壁の開口部に形成された突起２２４と、押圧板２２２の先端にある突起２２６によって、落下せずにケース２０６に格納されている。【００５１】  またこのとき、装弾保持子２２８は輪ゴム保持体２０８の切り欠き２１２に入り込み、さらに装弾保持溝２３０は、輪ゴム保持体２０８の切り欠き２１０に入り込む。【００５２】  前記の状態をわかりやすく示した斜視図が図１７である。装弾保持溝２３０は、板状の銃身２３２を挟むように、２枚の駒板２３４を支軸２３６と支軸２３８とで支持されている。【００５３】  前記支軸２３６と前記支軸２３８は駒板２３４の上下に位置している。これは装弾保持溝２３０が回転せずに同じ姿勢で移動させるためであり、そのために支軸２３６は銃身２３２に設けられた下段側の長孔２４０に嵌り、一方支軸２３８は上段側の長孔２４２にそれぞれ嵌っている。【００５４】  また、図１７でわかるように、長孔２４０、長孔２４２は、銃把側で一段上がった長孔２４０ａ、長孔２４２ａと続き、そこからさらに銃把側に弱冠延びた長孔２４０ｂ、長孔２４２ｂで終わっている。また、銃口側では一段下がった長孔２４０ｃ、長孔２４２ｃで終わりとなっている。【００５５】  この長孔２４０ａ、長孔２４２ａを支軸２３６、支軸２３８が通過して上にあがりきったとき、装弾保持溝２３０は輪ゴム保持体２０８の切り欠き２１０に潜り込む。【００５６】  次に図１８のように、装弾保持溝２３０を長孔２４０ｂ、長孔２４２ｂに沿ってさらに銃把側に移動させる。すると、装弾保持溝２３０の駒板２３４の銃把側に形成された爪部２４４が輪ゴム保持体２０８の切り欠き２１０に形成された傾斜部２１６に当たって輪ゴム保持体２０８を銃把側に押すと同時に下方に押し下げる。【００５７】  この動作により、ケース２０６の押圧板２２２が銃把側に撓んで輪ゴム保持体２０８がケース２０６の突起２２４からはずれ、次に押圧板２２２の突起２２６からも輪ゴム保持体２０８がはずれて落下することになる。【００５８】  すると、図１９に示すように、輪ゴム保持体２０８に架けられた輪ゴムＷが、装弾保持子２２８の受部２５０と、銃身２３２の上端部２５２に当たって落下が止まる。【００５９】  ２点鎖線は装弾保持溝２３０を長孔２４０ａ、長孔２４２ａを通過させて長孔２４０、長孔２４２に移動させた状態を示している。この時点で、輪ゴム保持体２０８に架けられた輪ゴムＷは、切り欠き２１０から銃口側へ移動する装弾保持溝２３０の駒板２３４の銃口側に設けられた鉤爪２５４に引っ掛けられることになる。【００６０】  図２０は、装弾保持溝２３０を銃口側最先端へ動かし、長孔２４０ｃ、長孔２４２ｃへ支軸２３６と支軸２３８を落として装弾保持溝２３０を固定させた状態を示している。【００６１】  このとき、輪ゴム保持体２０８の傾斜部２１６が銃身２３２の端部２５６に当たって、輪ゴム保持体２０８はその場に留まる。【００６２】  そして、装弾保持子２２８の受部２５０に乗った輪ゴム保持体２０８に架けた輪ゴムＷは、そのまま装弾保持子２２８の引掛部２５８に架かる。【００６３】  また、装弾保持子２２８を軸支している軸２６０の下方には、装弾保持子２２８を制御するための突出部２６２と、該突出部２６２を銃把側に引っ張る引張バネ２６４が突出部２６２に架けられている。【００６４】  さらに、突出部２６２は、引張バネ２６４の作用で常に引鉄２６６の前端部２６８に当たっている。一方、引鉄２６６には銃口側へ引っ張る引張バネ２７０が架けられており、引張バネ２６４と引張バネ２７０の力は引張バネ２７０の方が強いために、引鉄を引かないかぎり、装弾保持子２２８は、図２０に示すように起きあがった状態を維持する。【００６５】  次に図２１で、引鉄２６６を引いた状態を説明する。引鉄２６６を引くと、引鉄２６６の前端部２６８が銃把側に移動する。その移動量の分だけ、引張バネ２６４によって装弾保持子２２８は軸２６０を支点にして回転運動をする。このとき、装弾保持子２２８は下方へ円軌道を描いて移動するために、装弾保持子２２８が輪ゴム保持体２０８の切り欠き２１２に設けられた傾斜部２１８に当たって、そのまま輪ゴム保持体２０８を押し下げることとなる。【００６６】  しかしながら、輪ゴム保持体２０８に架けられている輪ゴムＷの一部は、装弾保持子２２８の引掛部２５８に架かった状態となるため、輪ゴムＷは輪ゴム保持体２０８と一緒に落下することなく装弾保持子２２８に保持され、装弾保持子２２８がさらに傾斜したときに、輪ゴムＷは２点鎖線のごとく装弾保持子２２８の引掛部２５８から解放されて発射されることになる。【００６７】  輪ゴムＷが発射されたのち装弾保持溝２３０を銃把側に移動させ、長孔２４０ａ、長孔２４２ａに沿って上昇させ、さらに長孔２４０ｂ、長孔２４２ｂに沿って移動させると、前述の手順で新たな輪ゴム保持体２０８を銃本体２０２に装填することができる。
【実施例４】
【００６８】  次に、実施例４を説明する。この実施例４は、請求項１および請求項５に適応する実施例である。図２２は、実施例４の弾倉装着式輪ゴム銃３００であり、銃本体３０２に弾倉３０４が装着される前の図である。【００６９】  まずは、弾倉３０４から説明していく。図２３には、弾倉３０４と、銃本体３０２の銃身３３４が斜視図で示されている。実施例４では弾倉３０４は円柱体をしているが、多角柱体でもかまわない。この円柱体の銃口側の面３０５の中心に、弾倉３０４を保持するための孔３０６が穿たれており、孔３０６を中心にして、輪ゴムＷを架ける突起状の装弾保持溝３０８が周設されている。【００７０】  一方、弾倉３０４の銃把側の面３１０には、その中心に弾倉３０４を保持するための孔３１２が穿たれており、孔３１２を中心にして前記装弾保持溝３０８と同数の装弾保持子３１４が周設されている。【００７１】  図２４には面３１０側の詳しい斜視図が記されている。装弾保持子３１４は、突起３１６を有する駒３１８と、該駒３１８を押圧する押圧バネ３２０とから構成されている。この押圧バネ３２０と駒３１８を、孔３１２を中心にして面３１０に周設した孔３２２に挿入し、板３２４で駒３１８の突起３１６だけが突出するように保持する。またこのとき、板３２４は、突起３１６がずれるのを制御している。【００７２】  また、面３１０には、傾斜面３２６ａを有するチップ３２６が、孔３１２を中心に装弾保持子３１４と同数個だけ周設されている。【００７３】  実施例４において、輪ゴムＷは、弾倉３０４の銃口側の面３０５に周設された装弾保持溝３０８と、銃把側の面３１０に周設された装弾保持子３１４の突起３１６に架ける。【００７４】  次に銃本体３０２について説明する。図２２に戻る。銃本体３０２には、弾倉３０４を保持するために、銃把側に設けられた支軸３３０と、銃口側に設けられた支軸３３２がある。【００７５】  図２３の斜視図で、さらに詳しく説明する。銃身３３４の先端部にある軸３３６に弾倉保持機３３８が係止され、その弾倉保持機３３８に前記支軸３３２は設けられている。【００７６】  前記弾倉保持機３３８は、２枚のＬ字状のアーム３４０で銃身３３４を挟み、なおかつアーム３４０に形成された長孔３４２に前記軸３３６が係止されている。【００７７】  図２５には、弾倉３０４を銃本体３０２に装着した状態が示してある。まず、弾倉３０４の銃把側にある孔３１２を銃本体３０２の支軸３３０に嵌合させる。【００７８】  次に、銃本体３０２の銃口側にある弾倉保持機３３８を軸３３６を支点にして起こすように回転させ、支軸３３２と弾倉３０４の銃口側の孔３０６を軸線上に合わせた後、弾倉保持機３３８を長孔３４２に沿って銃把側にスライドさせて、支軸３３２と孔３０６を嵌合させる。【００７９】  この後、銃身３３４の先端に軸支されているストッパ３４４を、図２３の２点鎖線のように縦長の姿勢から回転させて横長の姿勢へ変え、弾倉保持機３３８のアーム３４０を固定する。【００８０】  次に、図２５に戻って引鉄部を説明する。軸３４６で回転可能に軸支された引鉄３４８は、引張バネ３５０で常に銃口側へ引っ張られている。【００８１】  また、引鉄３４８の銃把側へ延びる突部３��２には、ワイヤを使用した撃針３５４が取り付けられており、該撃針３５４は最上位置にある装弾保持子３１４へ当たるように延びている。【００８２】  さらに、引鉄３４８の銃口側に延びる舌片３５６には、軸３５８で回転可能に軸支されたラチェット３６０が、弾倉３０４のチップ３２６に当接するように設けられている。【００８３】  図２６は、銃把側から見た、一部省略した背面図である。この図では、ラチェット３６０は弾倉３０４の中心から左側に位置し、弾倉３０４の面３１０に周設したチップ３２６を押し上げることで、弾倉３０４を時計回り方向へ回転させる。【００８４】  図２７は、引鉄３４８を引いた状態の部分拡大図である。引鉄３４８の回転移動量に合わせて突部３５２が上方へ回転移動して、その移動量だけ撃針３５４は装弾保持子３１４へ向けて移動する。【００８５】  同時に、引鉄３４８の舌片３５６に軸支されたラチェット３６０が下方へ引き下げられる。このとき、ラチェット３６０の傾斜部３６０ａが弾倉３０４のチップ３２６に当接するが、チップ３２６の傾斜面３２６ａによってラチェット３６０は２点鎖線のように銃把側に逃げてチップ３２６を乗り越える。【００８６】  この状態で、撃針３５４が最も銃口側に移動して、装弾保持子３１４の駒３１８を押し込み、駒３１８に設けられた突起３１６を孔３２２の中に収めてしまう。このとき、突起３１６に架けられていた輪ゴムＷが解除されて、輪ゴムＷが発射されることになる。【００８７】  そして引鉄３４８を放すと、引張バネ３５０によって引鉄３４８はもとの位置に戻り、同時にラチェット３６０が押し上げられて、弾倉３０４のチップ３２６も押し上げる。それにより、次の装弾保持子３１４が最上位置にくる。こうして、次々と輪ゴムを発射することができる。
【実施例５】
【００８８】  次に、実施例５を説明する。この実施例５は、請求項１および請求項５と請求項６に適応する実施例である。図２８は、実施例５の弾倉装着式輪ゴム銃４００であり、銃本体４０２に弾倉４０４が装着される前の図である。【００８９】  まずは、弾倉４０４から説明していく。実施例５の弾倉４０４は、回転ドラム４０６と解除盤４０８とからなる。【００９０】  前記回転ドラム４０６の銃口側の面４１０の中心には、回転ドラム４０６を保持するための孔４１２が穿たれており、孔４１２を中心にして、輪ゴムＷを架ける装弾保持溝４１４が周設されている。【００９１】  一方、回転ドラム４０６の銃把側の面４１６には、その中心に回転ドラム４０６を保持し、なおかつ回転可能とするための軸４１８が突出しており、該軸４１８の先端にはネジ山４２０と歯車４２２が設けられている。図２９参照。【００９２】  また、軸４１８を中心にして前記装弾保持溝４１４と同数の装弾保持子４２４が周設されている。【００９３】  さらに、前記軸４１８に嵌合する解除盤４０８が、軸４１８にネジ切りされたネジ山４２０と螺合するナット４２６で位置決めされる。このとき、解除盤４０８に嵌合している軸４１８は、解除盤４０８に対して回転可能となっている。【００９４】  図２９には弾倉４０４の分解斜視図が記されており、ここでさらに詳しく説明する。前記装弾保持子４２４は、回転ドラム４０６の面４１６とその周側面にまたがって切削された溝４２８に、突起４３０を有する矩形の駒４３２が嵌め込まれた上で、軸４３４で軸支されたものである。【００９５】  このとき、溝４２８は、駒４３２が回転できるだけの十分な広さを持っている。また、駒４３２の突起４３０が、面４１６側に向けられたとき、突起４３０が面４１６より突出するような位置に軸支されている。【００９６】  一方、解除盤４０８は、切り欠き４３６を有する円盤４３８と、解除盤４０８を銃本体４０２に固定する保持部４４０と、回転ドラム４０６の軸４１８を回転可能に保持するための孔４４２とからなっている。この実施例５においては、保持部４４０は四角柱の形をしているが、回転を制御できるのなら任意の形でかまわない。【００９７】  図３０は、回転ドラム４０６と解除盤４０８をナット４２６で組み合わせた状態を示す図である。回転ドラム４０６の軸４１８を解除盤４０８の孔４４２に挿入すると、軸４１８の先端に設けられたネジ山４２０と歯車４２２が解除盤４０８の保持部４４０から突出する。そのネジ山４２０にナット４２６を締め付ける。【００９８】  このとき、ナット４２６をきつく締め付けても、解除盤４０８の円盤４３８は回転ドラム４０６の面４１６に押しつけられることのないようにネジ山４２０がネジ切りされてあり、回転ドラム４０６は解除盤４０８に対して自在に回転することができる。【００９９】  また、図３０でわかるように、解除盤４０８の切り欠き４３６の位置に合わさった装弾保持子４２４の駒４３２は、解除盤４０８の円盤４３８に阻まれることなく、回転が可能となる。一方、切り欠き４３６以外の位置にある装弾保持子４２４の駒４３２は、駒４３２の下端が円盤４３８に阻まれて回転が阻止される。【０１００】  回転ドラム４０６と解除盤４���８を組み合わせた後、図３１のように解除盤４０８の切り欠き４３６と全ての装弾保持子４２４が位置的に合致しないようにずらし、そのうえで装弾保持子４２４の突起４３０に輪ゴムＷを架け、該輪ゴムＷの片側を回転ドラム４０６の銃口側の面４１０に周設された装弾保持溝４１４に掛け渡して、弾倉４０４の輪ゴムＷの装弾は完了する。【０１０１】  図３２は、弾倉４０４を銃本体４０２に装着した図である。回転ドラム４０６と組み合わせた解除盤４０８の保持部４４０を、銃本体４０２の保持孔４４３に嵌合させる。この実施例５においては保持部４４０と保持孔４４３は同形となっているので、保持部４４０は銃本体４０２にしっかりと固定される。【０１０２】  またこのとき、回転ドラム４０６の軸４１８に設けられた歯車４２２は、銃本体４０２に固定されているモータ４４４の歯車４４６と噛み合わされる。【０１０３】  次に、銃口側の弾倉保持機４４８を説明する。この弾倉保持機４４８は、実施例４に説明した弾倉保持機３３８と構造は同じである。銃身４５０の先端部にある軸４５２に弾倉保持機４４８が係止されている。【０１０４】  前記弾倉保持機４４８は、２枚のＬ字状のアーム４５４で銃身４５０を挟み、なおかつアーム４５４に形成された長孔４５６に前記軸４５２が係止されている。そして、そのアーム４５４の先端に、回転ドラム４０６の銃口側の面４１０に穿たれた孔４１２に嵌合する支軸４５８が設けられている。【０１０５】  解除盤４０８の保持部４４０を銃本体４０２の保持孔４４３に嵌合させた後、前記弾倉保持機４４８を軸４５２を支点として起こすように回転させ、弾倉保持機４４８の支軸４５８と回転ドラム４０６の孔４１２を軸線上に合わせる。次に、弾倉保持機４４８のアーム４５４に形成された長孔４５６に沿って弾倉保持機４４８を銃把側にスライドさせて、回転ドラム４０６の孔４１２に弾倉保持機４４８の支軸４５８を嵌合させる。【０１０６】  その後で、銃身４５０の銃口側先端に回転可能に軸支しているストッパ４５９を縦長の姿勢から回転させて横長の姿勢へ変え、弾倉保持機４４８のアーム４５４を固定する。これで、銃本体４０２と弾倉４０４の装着は完了である。【０１０７】  図３３は、引鉄を引いた状態の銃把側の拡大図である。回転ドラム４０６の下側の一部切り欠き断面には、装弾保持子４２４の駒４３２が、解除盤４０８の円盤４３８に当接している様子が記されている。これにより、駒４３２が輪ゴムＷの張力によって回転するのを阻止している。【０１０８】  一方、引鉄４６０は、引張バネ４６２で常に銃口側に引っ張られている。その引鉄４６０には銃把側に延びる突部４６４が設けられている。【０１０９】  この引鉄４６０を引いたとき、引鉄４６０の突部４６４が当たる位置にスイッチ４６８が固定されており、該スイッチ４６８はモータ４４４へ電気的に結線されている。【０１１０】  このように引鉄４６０を引くと、突部４６４がスイッチ４６８に当接してモータ４４４に電気を通す。それによりモータ４４４の先端に取り付けられた歯車４４６が回転して、噛み合っている歯車４４２を回す。【０１１１】  この回転運動は直接軸４１８を回し、同時に回転ドラム４０６も回転させる。だが、解除盤４０８は保持部４４０が銃本体４０２の保持孔４４３によって固定されているために回転しない。【０１１２】  このように、回転ドラム４０６だけが回転して、解除盤４０８の切り欠き４３６の位置に、回転ドラム４０６に設けられた装弾保持子４２４が移動した状態が、回転ドラム４０６の上側の一部切り欠き断面に示されている。この図でわかるように、切り欠き４３６の位置に移動した装弾保持子４２４の駒４３２だけが、解除盤４０８の円盤４３８に阻まれることなく回転可能となる。【０１１３】  輪ゴムＷが架けられた駒４３２の突起４３０は、その輪ゴムＷの張力によって銃口側へ引っ張られ、駒４３２には軸４３４を支点にして回転しようとする力が働いている。【０１１４】  ２点鎖線で示すように、切り欠き４３６の位置に移動した装弾保持子４２４の駒４３２は、円盤４３８に阻まれることなく切り欠き４３６の中を回転して、最終的には実線に示すような状態になる。このとき、輪ゴムＷは突起４３０から解放されて発射されることになる。【０１１５】  さらに引鉄４６０を引き続けると、スイッチ４６８の通電状態が続き、モータ４４４は回転し続け、回転ドラム４０６も回転し続けることとなる。その間、回転ドラム４０６に設けられた装弾保持子４２４が次々と切り欠き４３６の位置に移動して、間断なく輪ゴムの連射が可能となる。
【図面の簡単な説明】
【０１１６】
【図１】  実施例１における弾倉装着式輪ゴム銃の銃本体と弾倉を分解した斜視図
【図２】  実施例１における弾倉装着式輪ゴム銃の弾倉の分解斜視図
【図３】  実施例１における弾倉装着式輪ゴム銃の側面図
【図４】  実施例１における弾倉装着式輪ゴム銃の側面図
【図５】  実施例１における弾倉装着式輪ゴム銃の側面図
【図６】  実施例２における弾倉装着式輪ゴム銃の弾倉と銃本体を分解した側面図
【図７】  実施例２における弾倉装着式輪ゴム銃の弾倉と装弾保持子の分解斜視図
【図８】  実施例２における弾倉装着式輪ゴム銃の弾倉と装弾保持子の斜視図
【図９】  実施例２における弾倉装着式輪ゴム銃の弾倉部分の拡大断面図
【図１０】  実施例２における弾倉装着式輪ゴム銃の弾倉部分の拡大断面図
【図１１】  実施例２における弾倉装着式輪ゴム銃の弾倉部分と銃口側の拡大断面図
【図１２】  実施例２における弾倉装着式輪ゴム銃の装弾保持溝と装弾保持子の斜視図
【図１３】  実施例２における弾倉装着式輪ゴム銃の銃本体に弾倉を装着した側面図
【図１４】  実施例２における弾倉装着式輪ゴム銃の引鉄部の部分拡大断面図
【図１５】  実施例３における弾倉装着式輪ゴム銃の弾倉と銃本体を分解した側面図
【図１６】  実施例３における弾倉装着式輪ゴム銃の部分拡大断面図
【図１７】  実施例３における弾倉装着式輪ゴム銃の一部省略した斜視図
【図１８】  実施例３における弾倉装着式輪ゴム銃の部分拡大断面図
【図１９】  実施例３における弾倉装着式輪ゴム銃の部分拡大断面図
【図２０】  実施例３における弾倉装着式輪ゴム銃の全体側面図
【図２１】  実施例３における弾倉装着式輪ゴム銃の部分拡大断面図
【図２２】  実施例４における弾倉装着式輪ゴム銃の弾倉と銃本体を分解した側面図
【図２３】  実施例４における弾倉装着式輪ゴム銃の一部省略した斜視図
【図２４】  実施例４における弾倉装着式輪ゴム銃の弾倉の斜視図。
【図２５】  実施例４における弾倉装着式輪ゴム銃の銃本体に弾倉を装着した全体側面図
【図２６】  実施例４における弾倉装着式輪ゴム銃の銃把側から見た一部省略した背面図
【図２７】  実施例４における弾倉装着式輪ゴム銃の部分拡大断面図
【図２８】  実施例５における弾倉装着式輪ゴム銃の弾倉と銃本体を分解した側面図
【図２９】  実施例５における弾倉装着式輪ゴム銃の弾倉を分解した斜視図
【図３０】  実施例５における弾倉装着式輪ゴム銃の弾倉を組み立てた斜視図
【図３１】  実施例５における弾倉装着式輪ゴム銃の弾倉を銃把側から見た背面図
【図３２】  実施例５における弾倉装着式輪ゴム銃の銃本体に弾倉を装着した全体側面図
【図３３】  実施例５における弾倉装着式輪ゴム銃の部分拡大断面図
【符号の説明】
【０１１７】１  弾倉装着式輪ゴム銃        ２  銃本体                  ４  弾倉
１２  外体                    １４  内体                  １６ａ  輪ゴム移送切欠
１６ｂ  輪ゴム移送切欠        １８ａ  輪ゴム移送切欠      １８ｂ  輪ゴム移送切欠
３４  装弾保持溝              ４０  装弾保持子            ４６  引鉄
１００  弾倉装着式輪ゴム銃    １０２  銃本体              １０４  弾倉
１０６  輪ゴム移送機構        １０８  ケース              １１４  装弾保持子
１１６  長孔                  １２０  内体                １２２  外体
１２６  輪ゴム移送板          １２８  輪ゴム移送切欠      １３２  輪ゴム移送板
１３３  輪ゴム移送切欠        １３６ａ  支柱              １３６ｂ  支柱
１３８ａ  引掛部              １３８ｂ  引掛部            １４２  桁
１５０  装弾保持溝            １６０  引鉄                １６２  受部
２００  弾倉装着式輪ゴム銃    ２０２  銃本体              ２０４  弾倉
２０６  ケース                ２０８  輪ゴム保持体        ２１０  切欠
２１２  切欠                  ２１４  溝                  ２１６  傾斜部
２１８  傾斜部                ２２２  押圧板              ２２６  突起
２２８  装弾保持子            ２３０  装弾保持溝          ２３２  銃身
２３６  支軸                  ２３８  支軸                ２４０  長孔
２４２  長孔                  ２５０  受部                ２５２  上端部
２５６  端部                  ２５８  引掛部              ２６６  引鉄
３００  弾倉装着式輪ゴム銃    ３０２  銃本体              ３０４  弾倉
３０６  孔                    ３０８  装弾保持溝          ３１２  孔
３１４  装弾保持子            ３１８  駒                  ３２０  押圧バネ
３２２  孔                    ３２６  チップ              ３３０  支軸
３３２  支軸                  ３３４  銃身                ３３８  弾倉保持機
３４８  引鉄                  ３５４  撃針                ３６０  ラチェット
４００  弾倉装着式輪ゴム銃    ４０２  銃本体              ４０４  弾倉
４０６  回転ドラム            ４０８  解除盤              ４１２  孔
４１４  装弾保持溝            ４１８  軸                  ４２２  歯車
４２４  装弾保持子            ４２６  ナット              ４３２  駒
４３６  切り欠き              ４３８  円盤                ４４０  保持部
４４２  孔                    ４４４  モータ              ４４６  歯車
４４８  弾倉保持機            ４５０  銃身                ４５８  支軸
４６０  引鉄                  ４６８  スイッチ            Ｗ  輪ゴム
【図１】
2006207986.tif 000003
【図２】
2006207986.tif 000004
【図３】
2006207986.tif 000005
【図４】
2006207986.tif 000006
【図５】
2006207986.tif 000007
【図６】
2006207986.tif 000008
【図７】
2006207986.tif 000009
【図８】
2006207986.tif 000010
【図９】
2006207986.tif 000011
【図１０】
2006207986.tif 000012
【図１１】
2006207986.tif 000013
【図１２】
2006207986.tif 000014
【図１３】
2006207986.tif 000015
【図１４】
2006207986.tif 000016
【図１５】
2006207986.tif 000017
【図１６】
2006207986.tif 000018
【図１７】
2006207986.tif 000019
【図１８】
2006207986.tif 000020
【図１９】
2006207986.tif 000021
【図２０】
2006207986.tif 000022
【図２１】
2006207986.tif 000023
【図２２】
2006207986.tif 000024
【図２３】
2006207986.tif 000025
【図２４】
2006207986.tif 000026
【図２５】
2006207986.tif 000027
【図２６】
2006207986.tif 000028
【図２７】
2006207986.tif 000029
【図２８】
2006207986.tif 000030
【図２９】
2006207986.tif 000031
【図３０】
2006207986.tif 000032
【図３１】
2006207986.tif 000033
【図３２】
2006207986.tif 000034
【図３３】
2006207986.tif 000035